(57)【要約】【課題】  カードへの取引内容の書き込み等を必要とせずに、所定の取引内容について複数種類の操作手順で取引を行うことができる自動取引装置を提供する。【解決手段】  本発明は、利用者からカードの挿入を受け付けて取引を行う自動取引装置に関する。そして、自動取引装置は、カードの挿入を受け付けるカード挿入部と、カードのいずれか一方の面又は両方の面について、上記情報記録媒体の情報の読取を試みた結果に応じて、カードが挿入された向きを判定する手段と、カードが挿入された向きの判定結果に応じて、第１の取引モードと、第１の取引モードと所定の取引手順について取引手順が異なる第２の取引モードのいずれかのモードを選択する手段と、選択した取引モードに従った取引に係る処理を行う手段とを有することを特徴とする。【選択図】      図１
2010231603.tif 000002
【特許請求の範囲】
【請求項１】
利用者から、いずれか一方の面に利用者が希望する取引に係る情報記録媒体が付けられたカードの挿入を受け付けて取引を行う自動取引装置において、
上記利用者から上記カードの挿入を受け付けるカード挿入部と、
上記カード挿入部に挿入されたカードに付けられた上記情報記録媒体の情報を読取るものであって、上記カードが上記カード挿入部に挿入されると、上記カードの両方の面について、上記情報記録媒体の情報の読取を試みることができる情報読取手段と、
上記情報読取手段による、上記カードのいずれか一方の面又は両方の面について、上記情報記録媒体の情報の読取を試みた結果に応じて、上記カードが上記カード挿入部に挿入された向きを判定する判定手段と、
上記判定手段の判定結果に応じて、第１の取引モードと、上記第１の取引モードと所定の取引手順について取引手順が異なる第２の取引モードのいずれかのモードを選択する取引モード選択手段と、
上記取引モード選択手段が選択した取引モードに従った取引に係る処理を行う取引処理手段と
を有することを特徴とする自動取引装置。
【請求項２】
上記第１の取引モードは、上記利用者から、上記自動取引装置における通常の手順での取引内容の入力を受け付けて取引を行う取引モードであり、上記第２の取引モードは、所定の取引内容について、上記第１の取引モードよりも取引内容の入力手順を省略して行うことを特徴とする請求項１又は２に記載の自動取引装置。
【請求項３】
上記判定手段は、上記カードが上記カード挿入部に挿入された際に、上記カードのいずれの面を上向きにして挿入したかを判定し、
上記取引モード選択手段は、上記判定手段における、上記カードのいずれの面を上向きにして挿入したかの判定結果に応じて、第１の取引モード又は第２の取引モードのいずれかを選択する
ことを特徴とする請求項１に記載の自動取引装置。
【請求項４】
上記情報読取手段は、
上記カードに付けられた上記情報記録媒体の情報を読取る読取部を２つ備え、
それぞれの上記読取部は、上記カードのいずれか一方の面について、上記カードに付けられた上記情報記録媒体の情報の読取りを試み、
上記判定手段は、いずれの上記読取部により、上記情報記録媒体の情報を読取りが成功したかの結果に応じて、上記カードが上記カード挿入部に挿入された向きを判定する
ことを特徴とする請求項３に記載の自動取引装置。
【請求項５】
上記情報読取手段は、
上記カードに付けられた上記情報記録媒体の情報を読取る一つの読取部と、
上記カードの向きを裏返しに反転させるカード反転部とを備え、
上記読取部により上記カードに付けられた上記情報記録媒体の情報を読取りを試みた結果、読取り失敗であった場合には、上記カード反転部を用いて上記カードを裏返しに反転させて、再度読取りを試み
上記判定手段は、上記情報読取手段において、上記カードに付けられた上記情報記録媒体の情報を読取る際に、上記反転部によりカードの反転を必要としたか否かに応じて、上記カードが上記カード挿入部に挿入された向きを判定する
ことを特徴とする請求項３に記載の自動取引装置。
【請求項６】
上記情報読取手段は、
上記カードに付けられた上記情報記録媒体の情報を読取るものであって、上記カードに付けられた上記情報記録媒体の情報の読取りを試みた結果、読取り失敗であった場合には、移動して上記カードについて最初に読取りを試みた面と反対の面について、再度読取りを試みる移動読取部を備え、
上記判定手段は、上記情報読取手段において、上記カードに付けられた上記情報記録媒体の情報を読取る際に、上記移動読取部の移動を必要としたか否かに応じて、上記カードが上記カード挿入部に挿入された向きを判定する
ことを特徴とする請求項３に記載の自動取引装置。
【発明の詳細な説明】
【技術分野】
【０００１】
本発明は、自動取引装置に関し、例えば、ＡＴＭ（Ａｕｔｏｍａｔｅｄ  ＴｅｌｌｅｒＭａｃｈｉｎｅ）等に適用し得る。
【背景技術】
【０００２】
従来、ＡＴＭ等の自動取引装置において頻繁に利用する操作など利用者特有の操作を実現する為には、特許文献１に記載の方式のように、通常の操作と特有の操作とを区別する為に、利用者の磁気カードもしくはＩＣカードの記憶部に取引手順に係る情報を書き込んだ上で実現したり、特許文献２に記載のシステムのように、カードの発行元に応じて異なる取引内容や操作手順を適用する手法などが用いられてきた。
【先行技術文献】
【特許文献】
【０００３】
【特許文献１】特開平９−７３４９４号公報
【特許文献２】特開平５−６７１３２号公報
【発明の概要】
【発明が解決しようとする課題】
【０００４】
しかしながら、特許文献１の方式では自動取引装置などを用いてカードの記憶部に書き込みをする必要がある為、書込み手段を設けることや、書き込み中のカード記憶部の破損や劣化、書き込み失敗等の問題点がある。また、特許文献２に記載のシステムでは、複数のカードを用いなければ異なる操作手順を適用することができない等の問題がある。
【０００５】
そのため、カードへの取引内容の書き込み等を必要とせずに、所定の取引内容について複数種類の操作手順で取引を行うことができる自動取引装置が望まれている。
【課題を解決するための手段】
【０００６】
本発明の自動取引装置は、（１）利用者からいずれか一方の面に利用者が希望する取引に係る情報記録媒体が付けられたカードの挿入を受け付けて取引を行う自動取引装置において、（２）上記利用者から上記カードの挿入を受け付けるカード挿入部と、（３）上記カード挿入部に挿入されたカードに付けられた上記情報記録媒体の情報を読取るものであって、上記カードが上記カード挿入部に挿入されると、上記カードの両方の面について、上記情報記録媒体の情報の読取を試みることができる情報読取手段と、（４）上記情報読取手段による、上記カードのいずれか一方の面又は両方の面について、上記情報記録媒体の情報の読取を試みた結果に応じて、上記カードが上記カード挿入部に挿入された向きを判定する判定手段と、（５）上記判定手段の判定結果に応じて、第１の取引モードと、上記第１の取引モードと所定の取引手順について取引手順が異なる第２の取引モードのいずれかのモードを選択する取引モード選択手段と、（６）上記取引モード選択手段が選択した取引モードに従った取引に係る処理を行う取引処理手段とを有することを特徴とする。
【発明の効果】
【０００７】
カードへの取引内容の書き込み等を必要とせずに、所定の取引内容について複数種類の操作手順で取引を行うことができる自動取引装置を提供する。
【図面の簡単な説明】
【０００８】
【図１】第１の実施形態に係る自動取引装置及び関係する各装置等の機能的構成を示すブロック図である。
【図２】第１の実施形態に係る自動取引装置に挿入されるカードの構成を示した説明図である。
【図３】第１の実施形態に係る自動取引装置において、利用者に取引サービスを提供する際の動作について示したフローチャートの前半部分である。
【図４】第１の実施形態に係る自動取引装置において、利用者に取引サービスを提供する際の動作について示したフローチャートの後半部分である。
【図５】第２の実施形態に係る自動取引装置及び関係する各装置等の機能的構成を示すブロック図である。
【図６】第２の実施形態に係る自動取引装置において、利用者に取引サービスを提供する際の動作について示したフローチャートの前半部分である。
【図７】第２の実施形態に係る自動取引装置において、利用者に取引サービスを提供する際の動作について示したフローチャートの後半部分である。
【発明を実施するための形態】
【０００９】
（Ａ）第１の実施形態
以下、本発明による自動取引装置の第１の実施形態を、図面を参照しながら詳述する。
【００１０】
（Ａ−１）第１の実施形態の構成
図１は、この実施形態の自動取引装置１０及び関係する各装置等の機能的構成を示すブロック図である。
【００１１】
自動取引装置１０は、利用者からのカード４０の挿入を受け付けて、利用者と所定の取引を行うものである。なお、以下の説明においては、自動取引装置１０は、金融機関やコンビニ等に設置されるＡＴＭに係る取引であるものとするが、自動取引装置１０は、その他にも、クレジットカード会社との取引を行うキャッシュディスペンサーや、チケットの自動販売機等であってもよく、利用者からのカードの挿入を受け付けて所定の取引を行うものであれば、その取引内容は限定されないものである。
【００１２】
図２は、カード４０の構成例について示した説明図である。
【００１３】
図２（ａ）は、カード４０の断面を示した説明図であり、図２（ｂ）は、カード４０を表面から見た場合の説明図である。
【００１４】
カード４０は、図２に示すように、いずれか一方の面に、情報記録媒体４３が配置されている。以下の説明では、カード４０において、情報記録媒体４３が配置されている方の面をカード表面４１と呼び、情報記録媒体４３が配置されていない方の面をカード裏面４２と呼ぶものとして説明する。
【００１５】
カード４０は、既存のキャッシュカードやクレジットカード等を適用することができる。また、情報記録媒体４３は、既存のキャッシュカードやクレジットカード等の情報記録媒体（例えば、磁気データを記録する媒体や、ＩＣチップ等）を適用することができる。
【００１６】
ホスト装置３０は、自動取引装置１０との間で取引に係る情報処理等を行うものであり、例えば、自動取引装置１０要求に応じて、利用者に係る情報（例えば、ユーザ情報や口座情報）を供給したりする処理等を行うものであり、既存のＡＴＭやキャッシュディスペンサー等におけるホスト装置を適用することができる。
【００１７】
自動取引装置１０は、装置制御部１１、表示部１２、入力部１３、カード処理部２０を有している。
【００１８】
表示部１２及び入力部１３は、自動取引装置１０における利用者に対するユーザインタフェースの機能を担っている。表示部１２は、既存のＡＴＭにおけるディスプレイ等の出力装置を適用することができ、入力部１３は、既存のＡＴＭにおけるテンキーやタッチパネル等を適用することができる。
【００１９】
カード処理部２０は、利用者から挿入されたカード４０に係る処理を行う機能を担っており、カード挿入口２１、カード運搬部２２、２つのカードリーダ２３−１、２３−２を有している。
【００２０】
カード運搬部２２は、カード挿入口２１から投入されたカード４０をカード処理部２０内で運搬する機能を担っており、例えば、カード４０をカードリーダ２３−１、２３−２まで運搬したり、取引終了後に、カード４０をカード挿入口２１から排出するなどを行う。カード挿入口２１、カード運搬部２２としては、既存のＡＴＭ等に搭載されているカード挿入口やカード運搬部を適用することができる。
【００２１】
カードリーダ２３−１、２３−２は、それぞれカード４０上の情報記録媒体４３の情報を読み取る機能を担っている。
【００２２】
カードリーダ２３−１、２３−２は、それぞれ、カード４０のいずれか一方の面について情報記録媒体４３の情報の読取を行うものであり、情報記録媒体４３が存在する面であれば情報の読取は可能となるが、情報記録媒体４３が存在しない面であった場合には情報の読取はできない。以下の説明においては、利用者が、カード挿入口２１にカード４０を挿入する際の、上側の面をカードリーダ２３−１が読み取り、下側の面をカードリーダ２３−２が読み取るものとして説明する。なお、この実施形態においては、カード挿入口２１は、利用者にカード４０が水平となる向きで挿入させるように配置されるものとして説明するが、挿入する向きは限定されないものであり、例えば、垂直となる向きで挿入させるように配置しても良く、その場合は、カード４０の左右で適用されるカードリーダが異なることになる。
【００２３】
なお、それぞれのカードリーダ２３−１、２３−２自体は、既存のＡＴＭにおけるカードリーダと同様のものを適用するようにしても良い。
【００２４】
そして、カード処理部２０では、読み取った情報記録媒体４３の情報と共に、情報記録媒体４３の情報がいずれのカードリーダ２３で読み取れたのかを、装置制御部１１に通知する。利用者がカード挿入口２１にカード４０を挿入する際に、カード表面４１を上に向けて挿入していれば、カードリーダ２３−１から情報記録媒体４３の情報が読取られ、カード裏面４２を上に向けて挿入していれば、カードリーダ２３−２から情報記録媒体４３の情報が読取られることになる。すなわち、カード処理部２０では、カードリーダ２３−１、２３−２のどちらで情報記録媒体４３の情報の読み取りが行われたかで、利用者が、カード挿入口２１にカード４０を挿入した向きを把握することができる。
【００２５】
なお、以下の説明においては、利用者がカード挿入口２１にカード４０を挿入する際に、カード表面４１を上に向けて挿入することを、「表面挿入」と呼び、カード裏面４２を上に向けて挿入すること（カード表面４１を下に向けて挿入すること）を「裏面挿入」と呼ぶものとして説明する。
【００２６】
装置制御部１１は、自動取引装置１０全体の動作を制御する機能を担っている。
【００２７】
装置制御部１１は、カード処理部２０から通知される、情報記録媒体４３の情報に基づいて、利用者のユーザ情報等をホスト装置３０から取得するなどして、利用者に取引サービスを提供するが、取引手順などが異なる２つの取引モードを備え、利用者がカード挿入口２１にカード４０を挿入した向き（表面挿入か裏面挿入か）に応じて、取引モードを選択し、選択した取引モードを適用した取引を行う。
【００２８】
この実施形態においては、カード４０が表面挿入された場合には、装置制御部１１は、通常の手順に従った取引モードを適用した取引（以下、「通常取引」という）を行うように制御するものとする。また、カード４０が裏面挿入された場合には、装置制御部１１は、所定の取引内容について、通常取引よりも取引内容の入力手順を省略して行う取引モードを適用した取引（以下、「手順省略取引」という）を行うように制御するものとする。
【００２９】
手順省略取引としては、例えば、利用者が頻繁に利用し手順を省略したいものが挙げられる。具体的な例としては、例えば、自動取引装置１０がＡＴＭである場合には、所定の金額（例えば、「５万円」等）を引き出す取引や、所定の金額を口座から振り替える取引などであっても良くその内容は限定されないものである。
【００３０】
ユーザ（カード４０）ごとの手順省略取引の内容は、予めホスト装置３０などに登録しておいて、取引の都度自動取引装置１０が登録した手順省略取引の内容を読込むようにしても良い。また、自動取引装置１０において、カード４０に対応する手順省略取引の内容を利用者に入力させるインタフェース（メニュー操作等）を備えるようにしても良い。例えば、自動取引装置１０では、カード４０に対応する手順省略取引の内容が未登録の状態で、カード４０が裏面挿入された後に、利用者により入力された取引内容を、その後手順省略取引として登録するようにしても良いし、通常取引の後に利用者に、直前の通常取引の内容を手順省略取引として登録するか否か選択させるメニュー表示を行って登録するようにしても良い。このように、手順省略取引を登録する方法は限定されないものであるが、この実施形態においては、カード４０に対応する手順省略取引の内容が未登録の状態で、カード４０が裏面挿入された後に、利用者により入力された取引内容を、その後手順省略取引として登録するものとして説明する。
【００３１】
（Ａ−２）第１の実施形態の動作
次に、以上のような構成を有する第１の実施形態の自動取引装置の動作を説明する。
【００３２】
図３、図４は、自動取引装置１０において、利用者に取引サービスを提供する際の動作について示したフローチャートである。
【００３３】
まず、自動取引装置１０において、利用者からカード挿入口２１にカード４０が挿入されると（Ｓ１０１）、カードリーダ２３−１により情報記録媒体４３の情報の読み取りが試みられる（Ｓ１０２）。
【００３４】
次に、自動取引装置１０では、上述のステップＳ１０２における読取りの成功又は失敗が判定され（Ｓ１０３）、読取り成功であった場合には、後述するステップＳ１１４の処理から動作し、読取り失敗であった場合には、後述するステップＳ１０４の処理から動作する。
【００３５】
上述のステップＳ１０３において、読取り失敗と判定された場合には、次に、カードリーダ２３−２による情報記録媒体４３の情報の読み取りが行われる（Ｓ１０４、Ｓ１０５）。すでに、カードリーダ２３−１では読取りが失敗しているので、カードリーダ２３−２側では原則として読取りは成功する。そして、カードリーダ２３−２側で情報記録媒体４３の情報が読取られたということは、裏面挿入されたことを示すので、以降の処理は、手順省略取引が行われることになる。
【００３６】
次に、自動取引装置１０では、上述のステップＳ１０５において読取られた情報記録媒体４３の情報に基づいて、ユーザ情報等がホスト装置３０に照会され、挿入されたカード４０に対応する手順省略取引が登録されているか否かが、ホスト装置３０に照会され（Ｓ１０６）、照会結果について判定され（Ｓ１０７）、手順省略取引が登録されている場合には、後述するステップＳ１０８から動作し、登録されていない場合には、後述するステップＳ１１４から動作する。
【００３７】
上述のＳ１０７において、手順省略取引が登録されていると判定された場合には、自動取引装置１０では、利用者に暗証番号の入力を要求し（Ｓ１０８）、暗証番号による認証が完了（認証結果はＯＫであったものとする）すると、自動取引装置１０では、その手順省略取引の内容がホスト装置３０から読込まれる（Ｓ１０９）。
【００３８】
動取引装置１０では、手順省略取引の内容が読込まれると、読込んだ手順省略取引の内容が表示部１２に表示され（Ｓ１１０）、利用者による確認（例えば、確認キー等が押下された場合など）が完了（Ｓ１１１）すると、取引が実施（例えば、手順省略取引において決められた金額の出金など）（Ｓ１１２）され、カード４０が排出されて（Ｓ１１３）取引が完了する。
【００３９】
次に、上述のステップＳ１０３において、カードリーダ２３−１により、情報記録媒体４３の情報が読込めた場合、すなわち、カード４０が表面挿入されたと判定された場合、又は、上述のステップＳ１０７において、カード４０は裏面挿入されたが手順省略取引が未登録と判定された場合の動作（ステップＳ１１４）の詳細について、図４を用いて説明する。図４におけるステップＳ２０１〜Ｓ２０６の処理は、上述のステップＳ１１４の処理の詳細について示している。
【００４０】
まず、自動取引装置１０では、利用者に暗証番号の入力が要求され（Ｓ２０１）、暗証番号による認証が完了（認証結果はＯＫであったものとする）すると、利用者に取引内容の入力が要求され（Ｓ２０２）、利用者による取引内容の入力が行われると、さらに、入力された取引内容が表示部１２に表示され、利用者による確認（例えば、確認キー等が押下された場合など）が完了（Ｓ２０３）すると、その取引が実施される（Ｓ２０４）。
【００４１】
上述のステップＳ２０４による取引実施が完了すると、上述のステップＳ１０４において、カードリーダ２３−２による情報記録媒体４３の情報の読み取りが行われたか否か、すなわち裏面挿入であったか否かが判定され（Ｓ２０５）、裏面挿入と判定された場合（裏面挿入されたが手順省略取引の内容が未登録の場合）には、後述するステップＳ２０６から動作し、裏面挿入でなかったと判定された場合（表面挿入であった場合）には、図４のフローチャートの処理は終了され、上述のステップＳ１１３の処理から動作する。
【００４２】
上述のステップＳ２０５において、裏面挿入と判定された場合（裏面挿入されたが手順省略取引の内容が未登録の場合）には、自動取引装置１０では、上述のステップＳ２０２で入力された取引内容を、カード４０に係る手順省略取引としてホスト装置３０に登録を要求し（Ｓ２０６）、上述のステップＳ１１３の処理から動作する。
【００４３】
（Ａ−３）第１の実施形態の効果
第１の実施形態によれば、以下のような効果を奏することができる。
【００４４】
自動取引装置１０では、利用者がカード挿入口２１にカード４０を挿入した向き（表面挿入か裏面挿入か）に応じて、取引モードを選択し、選択した取引モードを適用した取引（通常取引又は手順省略取引）を行うので、自動取引装置１０においてカード４０の情報記録媒体４３に情報を書き込む手段を必要とせずに、このような取引モードの選択を行うことができる。
【００４５】
また、自動取引装置１０では、利用者がカード挿入口２１にカード４０を挿入した向き（表面挿入か裏面挿入か）に応じて、取引モードを選択して適用するため、例えば、自動取引装置１０の操作（ボタン押下など）による通常取引と手順省略取引の選択も不要となるで、利用者は容易な操作で取引モードを選択することができる。
【００４６】
（Ｂ）第２の実施形態
以下、本発明による自動取引装置の第２の実施形態を、図面を参照しながら詳述する。
【００４７】
（Ｂ−１）第２の実施形態の構成
第１の実施形態の自動取引装置１０では、カード処理部２０に、２つのカードリーダ２３−１、２３−２を備えて、カード４０の両面について情報記録媒体４３の情報の読取りを試みる構成となっている。一方、第２の実施形態においては、自動取引装置内でカードを裏返しに反転させるカードリーダ反転部を備え、一つのカードリーダでカード４０の両面について情報記録媒体４３の情報の読取りを試みる構成を実現している点で第１の実施形態と異なっている。
【００４８】
図５は、この実施形態の自動取引装置１０Ａの全体構成を示すブロック図であり、上述した図１との同一、対応部分には同一、対応符号を付して示している。
【００４９】
自動取引装置１０Ａは、装置制御部１１、表示部１２、入力部１３、カード処理部２０Ａを有している。装置制御部１１、表示部１２、入力部１３については、第１の実施形態と同様のものであるので詳しい説明を省略する。
【００５０】
カード処理部２０Ａは、カード挿入口２１、カード運搬部２２Ａ、カードリーダ２３、カード反転部２４を有している。
【００５１】
カード挿入口２１、カード運搬部２２、カードリーダ２３は、第１の実施形態のものと同様のものであるので詳しい説明を省略する。
【００５２】
なお、図１においては、カードリーダ２３は、最初にカード４０が表面挿入されると、カード表面４１について情報記録媒体４３の情報の読取りを試みるように配置されているものとするが、逆の位置に配置するようにしても良い。
【００５３】
上述の通り、カード処理部２０Ａでは、カード反転部２４により、挿入されたカード４０を反転させ、一つのカードリーダ２３を用いて、カード４０の両面について情報記録媒体４３の情報の読取りを試みる点で第１の実施形態のものと異なっている。
【００５４】
カード反転部２４としては、例えば、既存の特許文献「特開２００６−３１４３２号公報」に記載されている「カード反転機構」等を適用するようにしても良く、その実現方法は限定されないものである。
【００５５】
カード運搬部２２は、カード４０を反転させる際に、カード４０をカードリーダ２３の場所からカード反転部２４に移動させ、カード反転部２４により反転されたカード４０をカードリーダ２３の場所に戻す動作を行う点で、第１の実施形態のものと異なっている。
【００５６】
（Ｂ−２）第２の実施形態の動作
まず、自動取引装置１０Ａにおいて、利用者からカード挿入口２１にカード４０が挿入されると（Ｓ３０１）、カード処理部２０Ａにより、カード４０の情報記録媒体４３の情報の読取りが行われる（Ｓ３０２、Ｓ３０３）。なお、Ｓ３０２、Ｓ３０３において、カード処理部２０Ａでは、最初にカード４０が挿入された状態で、情報記録媒体４３の情報が、読取り可能であった場合は、表面挿入と認識され、読取りが失敗した場合には、カード反転部２４によりカード４０が反転されて情報記録媒体４３の情報が読取られ、裏面挿入と認識される。
【００５７】
次に、自動取引装置１０Ａでは、上述のステップＳ３０２、Ｓ３０３において、カード４０の情報記録媒体４３の読取りにあたって、反転があったか否か（すなわち、表面挿入であったか、裏面挿入であったか）が判定され（Ｓ３０４）、カード反転有り（裏面挿入）の場合には後述するステップＳ３０５から動作し、カード反転無し（表面挿入）の場合には後述するステップＳ３１３から動作する。
【００５８】
上述のステップＳ３０４において、カード反転有り（裏面挿入）と判定された場合には、ステップＳ３０５〜Ｓ３１２、又はステップＳ３１３の処理が行われるが、ステップＳ３０５〜Ｓ３１２の処理は、上述の図３におけるステップＳ１０６〜Ｓ１１３と同様の内容であるので詳しい説明は省略する。
【００５９】
次に、上述のステップＳ３０４において、カード反転無し（表面挿入）と判定された場合、又は、上述のステップＳ３０６において、カード４０は裏面挿入されたが手順省略取引が未登録と判定された場合の動作（ステップＳ３１３）の詳細について、図７を用いて説明する。図７におけるステップＳ４０１〜Ｓ４０６の処理は、上述のステップＳ３１３の処理の詳細について示している。
【００６０】
ステップＳ４０１〜Ｓ４０４の処理については、上述の図４におけるステップＳ２０１〜Ｓ２０４の処理と同様であるので詳しい説明を省略する。
【００６１】
次に、自動取引装置１０Ａでは、再び、上述のステップＳ３０２、Ｓ３０３において、カード４０の情報記録媒体４３の読取りにあたって、反転があったか否か、（すなわち、表面挿入であったか、裏面挿入であったか）が判定され（Ｓ４０５）、カード反転無し（表面挿入）の場合には、図７のフローチャートによる処理は終了し、上述のステップＳ３１２の処理から動作し、カード反転有り（裏面挿入）の場合には後述するステップＳ４０６から動作する。
【００６２】
上述のステップＳ４０５において、カード反転有り（裏面挿入されたが手順省略取引の内容が未登録の場合）には、自動取引装置１０Ａでは、上述のステップＳ４０２で入力された取引内容を、カード４０に係る手順省略取引としてホスト装置３０に登録を要求し（Ｓ４０６）、上述のステップＳ３１２の処理から動作する。
【００６３】
（Ｂ−３）第２の実施形態の効果
第２の実施形態によれば、第１の実施形態の効果に加えて、以下のような効果を奏することができる。
【００６４】
自動取引装置１０Ａでは、カード反転部２４を設けてカード４０を反転させることにより、第１の実施形態と異なり、１つのカードリーダ２３だけでカード４０の両面について情報の読取りを試みることができ、第１の実施形態のように２つのカードリーダを設ける必要がなく、構築コストの低減などの効果を奏する。
【００６５】
（Ｃ）他の実施形態
本発明は、上記の各実施形態に限定されるものではなく、以下に例示するような変形実施形態も挙げることができる。
【００６６】
（Ｃ−１）第１の実施形態においては、カード処理部にカードリーダを２つ設けてカードの両面の情報を読取り、第２の実施形態においては、カード処理部にカード反転部を設けてカードを反転させてカードの両面の情報を読取っているが、カードではなくカードリーダにおける読取部（磁気情報リード部（ヘッド））を移動させて、一つのカードリーダでカードの両面の情報を読取るようにしても良い。
【００６７】
例えば、カードの一方の面について情報記録媒体の情報を読取りを試みた結果、読取り失敗であった場合には、カードの裏側に読取部を移動させて、再度読取りを試みるようにしても良い。そして、自動取引装置において、表面挿入であったか裏面挿入であったかは、カードの情報記録媒体の情報を読取るために、上述の読取部の移動が必要であったか否かに応じて判定するようにしても良い。
【００６８】
（Ｃ−２）自動取引装置がキャッシュカードを用いて行う銀行口座に係る取引（以下、「銀行口座取引」という）と、クレジットカードを用いてクレジットカード会社と行う現金の借り入れ（キャッシング）や返済等に係る取引（以下、「クレジット取引」という）と、両方に対応しており、さらに、カード自体が、表はキャッシュカード（キャッシュカード用の情報記録媒体が付けられている）、裏はクレジットカード（クレジットカード用の情報記録媒体が付けられている）として機能するものが従来にはあり、このような自動取引装置にも本発明を適用するようにしても良い。
【００６９】
この場合、例えば、自動取引装置において、利用者にまず入力部に、「銀行口座取引」を行うのか「クレジット取引」を行うのかを選択する入力をさせて（例えば、最初にタッチパネル上に２つのボタンを表示して、利用者にいずれかのボタンを押下させる）、利用者が希望する取引を把握し、選択された取引に応じた動作をすることが挙げられる。
【００７０】
例えば、最初に「銀行口座取引」を選択され、キャッシュカードとしての表面挿入（キャッシュカードの面を上に向けて挿入）された場合には「キャッシュカードの通常取引」を行う。そして、最初に「銀行口座取引」を選択され、キャッシュカードとしての裏面挿入（キャッシュカードの面を下に向けて挿入）された場合には「キャッシュカードの手順省略取引」を行う。
【００７１】
一方、最初に「クレジット取引」を選択され、クレジットカードとしての表面挿入（クレジットカードの面を上に向けて挿入）された場合には「クレジットカードの通常取引」を行う。そして、最初に「クレジット取引」を選択され、クレジットカードとしての裏面挿入（クレジットカードの面を下に向けて挿入）された場合には「クレジットカードの手順省略取引」を行う。
【００７２】
また、銀行口座取引又はクレジット取引のいずれか一方のみに、裏面挿入に応じた手順省略取引を設定するようにしても良い。
【００７３】
（Ｃ−３）上記の各実施形態のカード処理部では、カードの両面について情報記録媒体の読取りを試みた結果に応じて、カードが表面挿入であったか裏面挿入であったかを判定しているが、片面だけの読取りを試みた結果に応じて表面挿入であったか裏面挿入であったかを判定するようにしても良い。例えば、第１の実施形態では、カードリーダ２３−１を用いて読取りが成功した場合には表面挿入と判定し、失敗した場合にはカードリーダ２３−２の読取り結果を待たずに裏面挿入と判定するようにしても良い。また、第２の実施形態においても同様に、カード処理部において、最初（カードを反転する前）に、読取りが成功した場合には、表面挿入と判定し、失敗した場合には、カードの反転を待たずに裏面挿入と判定するようにしても良い。
【符号の説明】
【００７４】
１０…自動取引装置、１１…装置制御部、１２…表示部、１３…入力部、２０…カード処理部、２１…カード挿入口、２２、２３−１、２３−２…カード運搬部、３０…ホスト装置、４０…カード、４１…カード表面、４２…カード裏面、４３…情報記録媒体。
【図１】
2010231603.tif 000003
【図２】
2010231603.tif 000004
【図３】
2010231603.tif 000005
【図４】
2010231603.tif 000006
【図５】
2010231603.tif 000007
【図６】
2010231603.tif 000008
【図７】
2010231603.tif 000009